(57)【特許請求の範囲】
【請求項１】
基板面上にホルダが設けられた回路基板と、
前記ホルダ上に設けられ、前記回路基板から送られた情報を表示する表示器と、
前記表示器と位置合わせされる表示開口を備えたカバーと、
前記回路基板及び前記表示器と前記カバーとの間に配置され、前記回路基板に形成された接点に対向配置される可動接点と、前記表示器と前記カバーとの間に挟まれる緩衝部と、が形成され、さらに、前記回路基板及び表示器への組み付け工程が、前記回路基板及び表示器上への積層のみから構成される、シート部材と、
を備えることを特徴とする、ディスプレイ装置。
【請求項２】
請求項１に記載のディスプレイ装置であって、
前記表示器は、前記回路基板の接点とは、前記回路基板の厚さ方向に離間するように、前記回路基板上に設けられ、
前記シート部材とカバーとの間には、前記シート部材の前記緩衝部と可動接点との間の領域を、前記回路基板側に押さえるガイド部材が配置されることを特徴とする、ディスプレイ装置。
【発明の詳細な説明】
【技術分野】
【０００１】
本発明は、ディスプレイ装置に関する。
【背景技術】
【０００２】
従来から、車両等には空調機器やオーディオ機器の操作を行ったり、これらの機器の動作状態を表示するためのディスプレイ装置が搭載されている。
【０００３】
ディスプレイ装置は複数の部品から構成されている。例えば特許文献１には従来のディスプレイ装置の構成部品が開示されている。図９に示すように、従来のディスプレイ装置１００は、回路基板１０２と、表示器１０４と、複数個のスイッチ１０５と、弾性材料からなる緩衝部材１０６を備えている。さらにディスプレイ装置１００は、スイッチ１０５の押圧操作を補助する複数個のノブ１０８、およびノブ１０８の移動方向を規制する複数のガイド１１０を備えている。さらにディスプレイ装置１００は、表面側カバー１１２及び背面側カバー１１４と、表面側カバー１１２に取り付けられる窓部材１１６を備えている。
【０００４】
従来のディスプレイ装置１００は以下のようにして組み立てられる。まず複数個のスイッチ１０５を半田付け等により回路基板１０２に固定する。次にノブ１０８とガイド１１０とを組み合わせ、この組み合わせ体を表面側カバー１１２の裏面へ配置する。さらにその上に緩衝部材１０６と回路基板１０２を配置する。その際、回路基板１０２は表面側カバー１１２に設けられた図示しないガイド手段によって位置決めされる。次に表面側カバー１１２と背面側カバー１１４とを図示しないねじ等の締結手段によって固定する。最後に、窓部材１１６が接着剤等の接着手段によって、表面側カバー１１２へ固定される。
【先行技術文献】
【特許文献】
【０００５】
【特許文献１】特開２００５−１１９５８３号公報
【発明の概要】
【発明が解決しようとする課題】
【０００６】
ここで、装置の組み立ては構成部品が多くなるほど工数が増加し、コスト増加の原因となる。このことから、コスト低減のため、ディスプレイ装置の構成部品の点数を減らしたいという要望がある。
【課題を解決するための手段】
【０００７】
本願発明はディスプレイ装置に関するものである。ディスプレイ装置は、回路基板と、回路基板から送られた情報を表示する表示器と、表示器と位置合わせされる表示開口を備えたカバーを備えている。さらに、ディスプレイ装置は、回路基板及び表示器とカバーとの間に配置されたシート部材を備えている。シート部材は、回路基板に形成された接点に対向配置される可動接点と、表示器とカバーとの間に挟まれる緩衝部が形成されている。
【発明の効果】
【０００８】
本願発明により、従来よりも部品点数を低減させたディスプレイ装置を提供することができる。
【図面の簡単な説明】
【０００９】
【図１】本実施形態に係るディスプレイ装置の構成部品を例示する図である。
【図２】本実施形態に係る接点シートを例示する図である。
【図３】本実施形態に係る接点シートの断面図である。
【図４】本実施形態に係る接点シートの断面図である。
【図５】本実施形態に係る接点シートの変形例を示す図である。
【図６】本実施形態に係るディスプレイ装置の断面図である。
【図７】本実施形態に係るディスプレイ装置の断面図である。
【図８】本実施形態に係る接点シートの変形例を示す図である。
【図９】従来技術に係るディスプレイ装置の構成部品を示す図である。
【発明を実施するための形態】
【００１０】
図１に、本実施形態に係るディスプレイ装置１０の構成部品を示す。なお、本実施形態に係るディスプレイ装置１０は、例えば車載用の空調ディスプレイやオーディオディスプレイとして使用される。
【００１１】
ディスプレイ装置１０は、回路基板１２と、表示器１４と、接点シート１６とを備えている。さらにディスプレイ装置１０は、複数個のノブ２０、およびノブ２０の移動方向を規制するガイド２２を備えている。さらにディスプレイ装置１０は、表面側カバー２４及び背面側カバー２６と、表面側カバー２４に取り付けられる窓部材２８を備えている。
【００１２】
回路基板１２は、図示しない空調機器やオーディオ機器に配線が接続されるとともに、表示器１４にも配線が接続されている。回路基板１２は、空調機器やオーディオ機器に動作指令を送るとともに、これらの機器の運転状態を示す情報を表示器１４に送る。また、回路基板１２はいわゆるプリント基板からなり、絶縁体からなる基板上に配線や後述する固定接点が形成されている。
【００１３】
表示器１４は、液晶ディスプレイ（ＬＣＤ）等からなるパネル型の表示器であり、回路基板１２から送られた情報を表示する表示面３０を備えている。また、表示器１４は、回路基板１２上に設けられた表示器ホルダ３２に支持されている。表示器ホルダ３２は中空構造であり、内部に表示器１４を照らすバックライト（図示せず）が収容されている。
【００１４】
接点シート１６はラバースイッチやスイッチシートとも呼ばれ、シリコンゴム等からなる弾性材料で構成されている。図２に示すように、接点シート１６には、複数の可動接点３６と、緩衝部３８が形成されている。
【００１５】
接点シート１６を回路基板１２上に配置した時のＡ−Ａ断面図（図１）を図３に示す。接点シート１６と回路基板１２には互いに図示しない位置決め機構が設けられており、接点シート１６は回路基板１２に対して予め定めた固定位置に配置されるようになっている。接点シート１６の可動接点３６は、回路基板１２の固定接点３９に対応した位置に形成されており、接点シート１６が上述した固定位置に配置されると、可動接点３６は固定接点３９と離間した状態で対向する。
【００１６】
可動接点３６は、押圧部４０と、押圧部４０を支持する支持部４２を備えている。押圧部４０は、後述するノブ２０の押圧ロッド４４から押圧される被押圧面４６と、被押圧面４６に対向し、金属膜等の導電膜が塗布された導電面４８を備えている。また、支持部４２の厚さＴ１は接点シート１６の厚さＴ２よりも薄く形成され、押圧部４０が押圧されたときには図３下段に示すように支持部４２が屈曲して押圧部４０の導電面４８が固定接点３９に接触する。これにより可動接点３６と固定接点３９とが導通する。また押圧が解除されると図３上段に示すように支持部４２の弾性により押圧部４０は固定接点３９から離間する。これにより可動接点３６と固定接点３９との導通が切断される。
【００１７】
また、接点シート１６の緩衝部３８は、表示面３０に対応した位置に形成されており、接点シート１６が上述した固定位置に配置されると、緩衝部３８は表示器１４及び表示器ホルダ３２を覆うようにして配置される。緩衝部３８は表示器１４を保護するためのクッションとして機能し、表示器１４と表面側カバー２４等の周辺部品との接触を防止する。
【００１８】
緩衝部３８は図２に示すように接点シート１６からほぼ垂直に延びる側壁５０と、側壁５０に接続し、表示器１４の表示面３０に当接する当接部５２とを備えている。当接部５２は開口５４（図２参照）が形成された枠体形状をしており、当接部５２は表示器１４の表示面３０（図３参照）の周縁部にのみ当接するように構成されている。ここで、表示面３０の周縁部とは、表示面３０の部分のうち、情報が表示されない周辺部分を指している。
【００１９】
なお、光透過性の高い高透明シリコンゴム等で緩衝部３８を形成したときには、当接部５２で表示面３０の全面を覆っても表示面３０の表示は確認できる。したがって、このような場合には当接部５２には開口５４を設けなくても良い。
【００２０】
このように、本実施形態に係るディスプレイ装置１０は、従来のディスプレイ装置の構成部品であるスイッチと緩衝枠体に代えて、可動接点３６と緩衝部３８とを一体成形した接点シート１６を備えている。つまり、本実施形態に係るディスプレイ装置１０は、従来のディスプレイ装置よりも部品点数が少ない。これにより、ディスプレイ装置１０の組み立て工数が減り、従来よりもディスプレイ装置の組み立て作業に掛かるコストを低減することができる。
【００２１】
さらに、本実施形態においては、複数の可動接点３６を接点シート１６上に一体成形している。これにより、個々のスイッチを回路基板１２に組み付けていた従来のディスプレイ装置と比較して部品点数を少なくすることができる。また、上述した様に、図示しない位置合わせ機構によって接点シート１６と回路基板１２とを位置合わせすることで、複数の接点シート１６の可動接点３６と複数の回路基板１２の固定接点３９とが位置合わせされる（対向する）。したがって、個々のスイッチを回路基板１２の固定接点３９に組み付ける従来技術に比べて、組み立ての手間を省くことができ、組み立て時間の短縮につながる。
【００２２】
また、図４上段に示すように、回路基板１２から当接部５２までの高さＨ１は、表示器１４の板厚Ｈ２と表示器ホルダ３２の回路基板１２からの高さＨ３の和とほぼ等しくなるように構成されている（Ｈ２＋Ｈ３≒Ｈ１）。ここで、図４下段に示すように、表示器ホルダ３２の加工精度のばらつき等が原因となって、表示器ホルダ３２の高さＨ３と表示器１４の板厚Ｈ２の和が当接部５２の高さＨ１よりも大きくなる（Ｈ２＋Ｈ３＞Ｈ１）場合がある。そうなると、当接部５２近傍の可動接点３６が回路基板１２に対して持ち上がってしまう。その結果、可動接点３６の押圧部４０を押しても導電面４８が回路基板１２の固定接点３９に接触せずに回路が導通しないおそれがある。そこで、図５上段に示すように、当接部５２と可動接点３６との間に接点シート１６の厚さＴ２よりも肉厚の薄い折り返し部（プリーツ）５６を形成しても良い。図５下段に示すように、当接部５２が表示器ホルダ３２及び表示器１４により持ち上げられたときに折り返し部５６が開くことにより、可動接点３６の回路基板１２に対する持ち上がりを防ぐことができる。なお、折り返し部５６は側壁５０に設けても良い。
【００２３】
図１に戻り、ディスプレイ装置１０はノブ２０およびガイド２２を備えている。ノブ２０およびガイド２２は、操作者による可動接点３６の押圧を補助する役割を有している。可動接点３６が操作者の指に比べて著しく小さい場合、指で直接可動接点３６を押圧することは困難であるため、操作者はノブ２０を介して可動接点３６を押圧する。ノブ２０はガイド２２に沿って移動し、可動接点３６の押圧部４０を押圧する。図６には組み立て後のディスプレイ装置１０の断面図として、図１のＡ−Ａ断面図が示されている。ノブ２０は断面がＥ字状の部材であり、操作者に押圧される押圧部５８と、押圧部５８から垂直に延びる側壁６０を備えている。さらに押圧部５８から側壁６０と平行に押圧ロッド４４が延びている。
【００２４】
ガイド２２は中空の筒形状をしており、ノブ２０がガイド２２を覆うようにして両者が組み合わせられる。ノブ２０を押圧すると、ノブ２０はガイド２２の側壁６１に沿って移動する。ノブ２０の移動に伴い押圧ロッド４４が可動接点３６の押圧部４０を押圧する。これにより、図７に示すように、可動接点３６の支持部４２が屈曲し、導電面４８が回路基板１２の固定接点３９に接触する。これにより可動接点３６と固定接点３９が導通する。
【００２５】
なお、本実施形態においては１枚のプレート上に複数のガイド２２を一体成形している。これにより、独立した部品のガイド２２を複数個用いる従来技術に比べて部品点数を削減できる。
【００２６】
図１に戻り、表面側カバー２４にはノブ２０が挿入される挿入口６２が複数個形成されている。さらに、表示器１４に対応した位置に表示開口６４が設けられている。この表示開口６４にガラスやプラスチック等の光透過性部材からなる窓部材２８が接着剤や両面テープ等により固定される。また、表面側カバー２４の背面側には、表示器１４の周縁部を保持するための保持枠（図示せず）が形成されている。なお、表示器１４は表示器ホルダ３２および接点シート１６の緩衝部３８によって十分な固定が図られることから、保持枠を省略しても良い。
【００２７】
次に、本実施形態に係るディスプレイ装置１０の組み立てについて図１に基づいて説明する。まず、表示器１４を表示器ホルダ３２上に配置する。次にノブ２０とガイド２２の組み合わせ体を表面側カバー２４の裏面へ配置する。その際、表面側カバー２４の各挿入口６２を各ノブ２０に一致させ、ノブ２０を表面側カバー２４の挿入口６２に挿入させる。さらにその上に接点シート１６、回路基板１２を順に設置する。その際、接点シート１６、回路基板１２はそれぞれ、表面側カバー２４に設けられた図示しないガイド手段によって位置決めされる。その後表面側カバー２４と背面側カバー２６とをねじ等の締結手段により固定する。最後に表面側カバー２４の表示開口６４に窓部材２８を固定する。
【００２８】
上述した組み立ての際、表示器１４の表示面３０と表面側カバー２４の間に接点シート１６の緩衝部３８が挟まれる。緩衝部３８は表示面３０と表面側カバー２４との接触を防止するとともに、表示器１４のがた付きを防止する。さらに緩衝部３８の側壁５０（図２参照）が表示器１４の周囲を覆うことで、表示器１４への異物の付着を防止する。なお、上述した実施形態においては、側壁５０が３面にわたり形成されていたが、図８に示すように、４面にわたって側壁５０を形成しても良い。これにより表示器１４の全側面が覆われることになり、異物の付着を防止する効果は向上する。
【００２９】
また、上述した実施形態においては接点シート１６の可動接点３６の操作を補助するノブ２０及びガイド２２をディスプレイ装置１０の構成部品としていたが、可動接点３６が操作者の指で容易に操作できる程度の大きさであれば、ノブ２０およびガイド２２を省略しても良い。
【符号の説明】
【００３０】
１０  ディスプレイ装置、１２  回路基板、１４  表示器、１６  接点シート、２０  ノブ、２２  ガイド、２４  表面側カバー、２６  背面側カバー、２８  窓部材、３０  表示面、３２  表示器ホルダ、３６  可動接点、３８  緩衝部、３９  固定接点、４０  可動接点の押圧部、４２  支持部、４４  押圧ロッド、４６  被押圧面、４８  導電面、５０  緩衝部の側壁、５２  当接部、５４  開口、５６  折り返し部、５８  ノブの押圧部、６０  ノブの側壁、６１  ガイドの側壁、６２  挿入口、６４  表示開口。
【図１】
0005432830.tif 000002
【図２】
0005432830.tif 000003
【図３】
0005432830.tif 000004
【図４】
0005432830.tif 000005
【図５】
0005432830.tif 000006
【図６】
0005432830.tif 000007
【図７】
0005432830.tif 000008
【図８】
0005432830.tif 000009
【図９】
0005432830.tif 000010